(57)【特許請求の範囲】
【請求項１】
大気中に飛散している塩分を捕獲可能である素材、及び、該素材が張られた保持体を有する複数の飛散塩分捕獲体が連接された飛散塩分捕獲ユニットと、該飛散塩分捕獲ユニットを保持する保持装置とを備え、
前記保持装置は、
高さ方向に延びる筒体であり、一個の前記飛散塩分捕獲体を曝露させる開口部が高さ方向の中間部に設けられ、前記飛散塩分捕獲ユニットを、前記複数の飛散塩分捕獲体が高さ方向に並んだ状態で収容する収容体と、
前記飛散塩分捕獲ユニットを昇降可能に保持する昇降保持機構とを備え、
前記飛散塩分捕獲ユニットは、上下の前記飛散塩分捕獲体の間に設けられ、前記開口部の上下において前記収容体の内側を遮蔽する遮蔽板を備える飛散塩分捕獲装置。
【請求項２】
前記保持装置は、
前記飛散塩分捕獲ユニットを昇降させる駆動機構と、
一個の前記飛散塩分捕獲体が前記開口部に位置する状態が所定時間維持された後に、未使用の前記飛散塩分捕獲体が前記開口部に移動されて前記所定時間維持されるように、前記駆動機構を駆動させる制御部と
を備える請求項１に記載の飛散塩分捕獲装置。
【請求項３】
前記昇降保持機構は、
前記収容体の上方に配された滑車と、
前記滑車に巻き付けられ、前記滑車から吊り下げられた一端を前記飛散塩分捕獲ユニットの頂部に取り付けられた吊り材とを備え、
前記駆動機構は、
回転軸にウォームが設けられたモータと、
前記滑車の回転軸に設けられ、前記ウォームと噛合うウォームホイールと
を備える請求項２に記載の飛散塩分捕獲装置。
【請求項４】
前記保持体は筒状体であって、前記飛散塩分捕獲ユニットは、前記保持体が立てられた状態で前記保持装置に保持されている請求項１から請求項３までの何れか１項に記載の飛散塩分捕獲装置。
【請求項５】
前記飛散塩分捕獲ユニットは、前記遮蔽板の外周縁部に設けられ、該外周縁部と前記収容体との間を密閉するシール材を備える請求項１から請求項４までの何れか１項に記載の飛散塩分捕獲装置。
【請求項６】
前記収容体の前記開口部を含む部分を収容し、前記飛散塩分捕獲体に導風する導風口が設けられた箱を備える請求項１から請求項５までの何れか１項に記載の飛散塩分捕獲装置。
【発明の詳細な説明】
【技術分野】
【０００１】
本発明は、飛散塩分量を測定するために大気中に飛散している塩分を捕獲する飛散塩分捕獲装置に関する。
【背景技術】
【０００２】
送電系統の絶縁碍子や鉄塔等の海塩粒子による塩害の予測を行うために、大気中に飛散している塩分（以下、単位体積あたりに含まれる塩分を気中塩分量、これに風速を乗じたものを飛散塩分量という）の量（飛散塩分量）を測定する必要があり、そのためには、大気中に飛散している塩分を捕獲する必要がある。ＪＩＳ  Ｚ２３８２で規定されているドライガーゼ法は、窓が空いた木枠にガーゼをはめ込んだものを雨に濡れない風通しの良い場所に設置し、ガーゼに塩分を含んだ大気を通過させてガーゼに塩分を付着させ、その付着した塩分の量を測定するというものである。【０００３】
また、特許文献１に記載の外気導入装置では、外気を屋外構造物の内部に導入する外気導入部にテープ状の除塩フィルタを設け、この除塩フィルタで塩分を捕獲することで、外気中の塩分が屋外構造物の内部に入ることを防止している。ここで、特許文献１に記載の外気導入装置では、除塩フィルタの新規な面を外気導入部へ送り出し、塩分が付着した面を外気導入部から退避させる機構を設けることで、連続しての塩分の捕獲を可能にしている。
【先行技術文献】
【特許文献】
【０００４】
【特許文献１】特開２０１１−８５５１６号公報
【発明の概要】
【発明が解決しようとする課題】
【０００５】
未使用の飛散塩分捕獲体を収納位置から曝露位置へ送り出し、使用済の飛散塩分捕獲体を曝露位置から収納位置へ退避させる機構を設けることにより、連続しての飛散塩分の捕獲が可能となるが、収納位置に存する飛散塩分捕獲体に、飛散している塩分や飛散塩分捕獲体から落ちた塩分等が付着すると、期間毎の飛散塩分量を正確に測定できなくなる。【０００６】
本発明は、上記事情に鑑みてなされたものであり、飛散塩分を捕獲する飛散塩分捕獲体の交換を自動若しくは簡単な操作により実施できるようにすると共に、期間毎の飛散塩分量を正確に測定できるようにすることを課題とするものである。
【課題を解決するための手段】
【０００７】
本発明に係る飛散塩分捕獲装置は、大気中に飛散している塩分を捕獲可能である素材、及び、該素材が張られた保持体を有する複数の飛散塩分捕獲体が連接された飛散塩分捕獲ユニットと、該飛散塩分捕獲ユニットを保持する保持装置とを備え、前記保持装置は、高さ方向に延びる筒体であり、一個の前記飛散塩分捕獲体を曝露させる開口部が高さ方向の中間部に設けられ、前記飛散塩分捕獲ユニットを、前記複数の飛散塩分捕獲体が高さ方向に並んだ状態で収容する収容体と、前記飛散塩分捕獲ユニットを昇降可能に保持する昇降保持機構とを備え、前記飛散塩分捕獲ユニットは、上下の前記飛散塩分捕獲体の間に設けられ、前記開口部の上下において前記収容体の内側を遮蔽する遮蔽板を備える。【０００８】
前記保持装置は、前記飛散塩分捕獲ユニットを昇降させる駆動機構と、一個の前記飛散塩分捕獲体が前記開口部に位置する状態が所定時間維持された後に、未使用の前記飛散塩分捕獲体が前記開口部に移動されて前記所定時間維持されるように、前記駆動機構を駆動させる制御部とを備えてもよい。【０００９】
前記昇降保持機構は、前記収容体の上方に配された滑車と、前記滑車に巻き付けられ、前記滑車から吊り下げられた一端を前記飛散塩分捕獲ユニットの頂部に取り付けられた吊り材とを備えてもよく、前記駆動機構は、回転軸にウォームが設けられたモータと、前記滑車の回転軸に設けられ、前記ウォームと噛合うウォームホイールとを備えてもよい。【００１０】
前記飛散塩分捕獲ユニットは、前記遮蔽板の外周縁部に設けられ、該外周縁部と前記収容体との間を密閉するシール材を備えてもよい。【００１１】
また、前記保持体は筒状体であって、前記飛散塩分捕獲ユニットは、前記保持体が立てられた状態で前記保持装置に保持されていてもよい。【００１２】
前記飛散塩分捕獲装置は、前記収容体の前記開口部を含む部分を収容し、前記飛散塩分捕獲体に導風する導風口が設けられた箱を備えてもよい。
【発明の効果】
【００１３】
本発明によれば、飛散塩分を捕獲する飛散塩分捕獲体の交換を自動若しくは簡単な操作により実施できると共に、期間毎の飛散塩分量を正確に測定できる。
【図面の簡単な説明】
【００１４】
【図１】一実施形態に係る飛散塩分捕獲装置を示す斜視図である。
【図２】飛散塩分捕獲体を示す正面図である。
【図３】保持装置を示す立面図である。
【図４】保持装置の上側部分を示す立断面図である。
【図５】制御装置の構成を示すブロック図である。
【図６】保持装置の動作を説明するための立面図である。
【図７】保持装置の動作を説明するための立面図である。
【図８】他の実施形態に係る保持装置を示す立断面図である。
【発明を実施するための形態】
【００１５】
以下、図面を参照しながら、本発明を実施するための形態を説明する。図１は、一実施形態に係る飛散塩分捕獲装置１０を示す斜視図であり、図２は、該飛散塩分捕獲装置１０を示す正面図である。これらの図に示すように、飛散塩分捕獲装置１０は、百葉箱１と、百葉箱１を支持する台座３と、百葉箱１を上下に貫通するように設置された保持装置１００と、保持装置１００の駆動を制御する制御装置２００とを備えている。
【００１６】
百葉箱１は、底部が開口した直方体状の箱であり、四つの側面にルーバー２が設けられている。ルーバー２は、奥側へかけて上側に傾斜する整流板が縦に並んだ構成である。
【００１７】
台座３は、平面視で矩形状に配された４本の脚部３Ａと、これらを結合する複数の水平材３Ｂ、３Ｃとを備えている。保持装置１００の下部は、４本の脚部３Ａ及び複数の水平材３Ｂ、３Ｃの内側の空間に配されている。
【００１８】
制御装置２００は後述の電源２０８、２０９（図５参照）と共に筐体２０１内に収納されている。また、制御装置２００及び電源２０８、２０９は、ケーブル２１０で後述のモータ４２（図４及び図５参照）に接続されている。
【００１９】
図３は、保持装置１００を示す立面図であり、図４は、保持装置１００の上側部分を示す立断面図である。これらの図に示すように、保持装置１００は、高さ方向に連なる複数（本実施形態では３個）の飛散塩分捕獲体２０を備える飛散塩分捕獲ユニット２１と、この飛散塩分捕獲ユニット２１を収容する円筒状の収容体３０と、飛散塩分捕獲ユニット２１を昇降可能に保持する昇降保持機構４０とを備えている。
【００２０】
飛散塩分捕獲体２０は、通気性を有し、飛散する塩分を捕獲可能であるガーゼ２２と、ガーゼ２２が巻き付けられたガーゼホルダー２４とを備えている。ガーゼホルダー２４は、網状の円筒体２４Ａと、円筒体２４Ａの上下両端を閉塞する円板状の蓋部２４Ｂ、２４Ｃとを備えている。
【００２１】
上下のガーゼホルダー２４は、軸部２５で互いに接続されている。この軸部２５は、上下の蓋部２４Ｃ、２４Ｂの中心同士を接続しており、この軸部２５には、受け皿２６及び遮蔽板２８が設けられている。受け皿２６は、外周部が上側に湾曲した円状の部材、遮蔽板２８は円板であり、これらの中心を軸部２５が貫通している。また、受け皿２６は、蓋部２４Ｂ、２４Ｃよりも大径であり、ガーゼ２２から落ちた塩分が溜まるように下型の蓋部２４Ｃの近傍に配されている。
【００２２】
また、最上段のガーゼホルダー２４の上側には、遮蔽板２８が設けられ、最下段のガーゼホルダー２４の下側には、受け皿２６及び遮蔽板２８が設けられている。最上段のガーゼホルダー２４の上側の蓋部２４Ｂの中心には、軸部２７の下端が結合しており、この軸部２７の上端が遮蔽板２８の中心に結合している。また、最下段のガーゼホルダー２４の下側の蓋部２４Ｃの中心には、軸部２３の上端が結合しており、この軸部２３が受け皿２６の中心を貫通し、軸部２３の下端が遮蔽板２８の中心に結合している。
【００２３】
遮蔽板２８の外周部には、スポンジやゴム等のシール材２９（図４参照）が取り付けられている。このシール材２９は、コ字状に折り曲げられて遮蔽板２８の外周部の下面及び上面に貼り付けられている。
【００２４】
収容体３０は、未使用の飛散塩分捕獲体２０を収容する上段部３１と、使用済みの飛散塩分捕獲体２０を収容する下段部３２と、上段部３１と下段部３２との間に配され曝露中の飛散塩分捕獲体２０が位置する中段部３３とを備えている。上段部３１は、鉛直に配された円筒体３１Ａと、円筒体３１Ａの上端、下端及び軸方向中間部にそれぞれ設けられたフランジ３１Ｂ、３１Ｃ、３１Ｄとを備えている。また、下段部３２は、円筒体３１Ａと同径で円筒体３１Ａと同軸に配された円筒体３２Ａと、円筒体３２Ａの上端に設けられたフランジ３２Ｂと、円筒体３２Ａの下端に設けられた蓋３２Ｃとを備えている。
【００２５】
円筒体３１Ａ、３２Ａの周囲には、複数（本実施形態では３本）の軸材３４が円筒体３１Ａ、３２Ａの軸心の周りに等間隔で配されている。この複数の軸材３４は、フランジ３１Ｂから蓋３２Ｃまで延びており、この複数の軸材３４がフランジ３１Ｂ、３１Ｃ、３１Ｄ、３２Ｂ及び蓋３２Ｃに固定されることによって、円筒体３１Ａと円筒体３２Ａとが一体化されている。
【００２６】
ここで、円筒体３１Ａの軸方向中間に位置するフランジ３１Ｃが百葉箱１の上板１Ａに固定されており、これにより、上段部３１の上側部分は百葉箱１の上に位置し、上段部３１の下側部分は百葉箱１内に位置する。また、中段部３３は、百葉箱１内に位置し、下段部３２は、百葉箱１の下に位置する。
【００２７】
円筒体３１Ａ、円筒体３２Ａの軸方向の長さは、複数（本実施形態では２個）の飛散塩分捕獲体２０を収容可能な長さに設定されている。また、円筒体３１Ａの下端と円筒体３２Ａの上端との間の距離は、ガーゼホルダー２４の軸方向長さより大きく、上下の遮蔽板２８の間隔より小さい長さに設定されている。即ち、上段部３１に複数（本実施形態では２個）の飛散塩分捕獲体２０が収容された状態でその下の飛散塩分捕獲体２０が中段部３３で曝露される。また、下段部３２に複数（本実施形態では２個）の飛散塩分捕獲体２０が収容された状態でその上の飛散塩分捕獲体２０が中段部３３で曝露される。
【００２８】
ここで、一個の飛散塩分捕獲体２０が中段部３３で曝露されている状態で、該飛散塩分捕獲体２０の上側の遮蔽板２８は、円筒体３１Ａの下端に位置し、該飛散塩分捕獲体２０の下側の遮蔽板２８は、円筒体３２Ａの上端に位置する。そして、遮蔽板２８の直径は、円筒体３１Ａ、３２Ａの内径よりもシール材２９の厚み分程度だけ小さく設定されており、遮蔽板２８の外周縁部と円筒体３１Ａ、３２Ａの内壁との間は、シール材２９により閉塞されている。これにより、当該状態で、円筒体３１Ａの下端及び円筒体３２Ａの下端が遮蔽された状態となり、円筒体３１Ａ、３２Ａ内への飛散塩分の侵入が防止されている。
【００２９】
また、円筒体３１Ａ、３２Ａ内では、飛散塩分捕獲体２０間に位置する遮蔽板２８を境に上下に仕切られた複数（本実施形態では２個）の空間が形成されており、各空間に飛散塩分捕獲体２０が収容されている。これにより、下段部３２に複数の使用済の飛散塩分捕獲体２０が位置する場合に、使用済みの飛散塩分捕獲体２０を収容する上下の空間の間での塩分の移動が阻止される。
【００３０】
図４に示すように、昇降保持機構４０は、ステッピングモータであるモータ４２と、モータ４２により駆動されるウォームギヤ４４と、ウォームギヤ４４により回転されるプーリ４６と、プーリ４６に掛けられたワイヤ４８とを備えている。円筒体３１Ａの上端には、モータ取付板５２とカバー５４とが設けられている。モータ取付板５２は、円筒体３１Ａの上端を塞ぐように設けられており、このモータ取付板５２にモータ４２が取付られている。そして、カバー５４は、モータ４２を覆うように円筒体３１Ａの上端に取り付けられている。
【００３１】
モータ取付板５２には、孔５２Ａが形成されており、この孔５２Ａを通して、モータ４２の回転軸４２Ａが円筒体３１Ａに鉛直下向きで挿入されている。ウォームギヤ４４は、回転軸４２Ａと一体で形成されたウォーム４４Ａと、水平軸回りに回転可能に設けられたウォームホイール４４Ｂとを備えている。モータ取付板５２の下面には一対の側板５６Ａを備えるフレーム５６が取り付けられており、ウォームホイール４４Ｂの回転軸４４Ｃが一対の側板５６Ａに回転可能に支持されている。
【００３２】
プーリ４６は、回転軸４４Ｃと一体で設けられており、ウォームホイール４４Ｂと一体で水平軸回りに回転する。ワイヤ４８の一端はプーリ４６の溝に固定され、ワイヤ４８の他端は、金具を介して軸部２７の上端に取り付けられている。従って、プーリ４６が一方向へ回転すると、ワイヤ４８がプーリ４６から巻き出されて飛散塩分捕獲ユニット２１が下降し、プーリ４６が他方向へ回転すると、ワイヤ４８がプーリ４６に巻き取られて飛散塩分捕獲ユニット２１が上昇する。
【００３３】
ここで、ウォーム４４Ａのねじり角は安息角（摩擦角）より小さく設定されており、ウォームホイール４４Ｂの回転によるウォーム４４Ａの逆駆動が防止されている。即ち、ウォームギヤ４４がセルフロック状態となり、飛散塩分捕獲ユニット２１の重量でモータ４２が回転することが防止されている。
【００３４】
図５は、制御装置２００の構成を示すブロック図である。この図に示すように、制御装置２００は、モータ制御回路２０２と、タイマ２０４と、インターフェース（Ｉ／Ｆ）２０６とを備えている。モータ制御回路２０２は、タイマ２０４によって所定期間（例えば、１か月間）がカウントされると、モータ４２にパルス信号を出力してモータ４２を一定量回転させる。以下、保持装置１００の動作について説明する。
【００３５】
図３、図６及び図７は、保持装置１００の動作を説明するための立面図である。まず、図３に示すように、最下段の飛散塩分捕獲体２０が中段部３３に配され、それよりも上側の複数の飛散塩分捕獲体２０が上段部３１に収容される。また、最下段の遮蔽板２８は、下段部３２の上端に位置し、下から２段目の遮蔽板２８は、上段部３１の下端に位置する。
【００３６】
この状態では、最下段の飛散塩分捕獲体２０のガーゼ２２が、中段部３３において曝露され、飛散塩分を捕獲する。また、上段部３１の円筒体３１Ａの下端が、遮蔽板２８及びシール材２９により閉塞されることにより、円筒体３１Ａ内への飛散塩分の侵入が防止される。よって、上段部３１内に収容された未使用の飛散塩分捕獲体２０への塩分の付着が防止される。
【００３７】
次に、図６に示すように、所定期間経過後にモータ４２が駆動されて、最下段の飛散塩分捕獲体２０が下段部３２へ下降し、その上の飛散塩分捕獲体２０が上段部３１から中段部３３へ下降する。この際、下から２段目の遮蔽板２８は、下段部３２の上端まで下降し、下から３段目の遮蔽板２８は、上段部３１の下端まで下降する。
【００３８】
この状態では、下から２段目の飛散塩分捕獲体２０のガーゼ２２が、中段部３３において曝露され、飛散塩分を捕獲する。また、下段部３２の円筒体３２Ａの上端が、遮蔽板２８及びシール材２９により閉塞されることにより、円筒体３２Ａ内への飛散塩分の侵入が防止される。よって、下段部３２内に収容された使用済みの飛散塩分捕獲体２０への塩分の付着が防止される。一方、上段部３１の円筒体３１Ａの下端が、遮蔽板２８及びシール材２９により閉塞されることにより、円筒体３１Ａ内への飛散塩分の侵入が防止される。よって、上段部３１内に収容された未使用の飛散塩分捕獲体２０への塩分の付着が防止される。
【００３９】
次に、図７に示すように、所定期間経過後にモータ４２が駆動されて、下から２段目の飛散塩分捕獲体２０が下段部３２へ降下し、その上（本実施形態では最上段）の飛散塩分捕獲体２０が上段部３１から中段部３３へ下降する。この際、下から３段目の遮蔽板２８は、下段部３２の上端まで下降し、下から４段目の遮蔽板２８は、上段部３１の下端まで下降する。
【００４０】
この状態では、下から３段目の飛散塩分捕獲体２０のガーゼ２２が、中段部３３において曝露され、飛散塩分を捕獲する。また、下段部３２の円筒体３２Ａの上端が、遮蔽板２８及びシール材２９により閉塞されることにより、円筒体３２Ａ内への飛散塩分の侵入が防止される。よって、下段部３２内に収容された使用済みの飛散塩分捕獲体２０への塩分の付着が防止される。一方、上段部３１の円筒体３１Ａの下端が、遮蔽板２８及びシール材２９により閉塞されることにより、円筒体３１Ａ内への飛散塩分の侵入が防止される。よって、上段部３１内に収容された未使用の飛散塩分捕獲体２０への塩分の付着が防止される。
【００４１】
以上説明したように、本実施形態に係る飛散塩分捕獲装置１０は、大気中に飛散している塩分を捕獲可能であるガーゼ２２、及び、該ガーゼ２２が張られたガーゼホルダー２４を有する複数の飛散塩分捕獲体２０が連接された飛散塩分捕獲ユニット２１と、該飛散塩分捕獲ユニット２１を保持する保持装置１００とを備える。該保持装置１００は、高さ方向に延びる筒体であり、一個の飛散塩分捕獲体２０を曝露させる開口部（中段部３３）が高さ方向の中間部に設けられ、飛散塩分捕獲ユニット２１を、複数の飛散塩分捕獲体２０が高さ方向に並んだ状態で収容する収容体３０と、飛散塩分捕獲ユニット２１を昇降可能に保持する昇降保持機構４０とを備える。
【００４２】
以上のような構成の飛散塩分捕獲装置１０によれば、飛散塩分捕獲ユニット２１の一個の飛散塩分捕獲体２０を中段部３３で曝露させて飛散塩分を捕獲した後、飛散塩分捕獲ユニット２１を昇降保持機構４０により下降させて、使用済の飛散塩分捕獲体２０を下段部３２内に収容すると共に、未使用の飛散塩分捕獲体２０を中段部３３に配置して曝露させることができる。よって、風速に応じた量の飛散塩分を捕獲できると共に、飛散塩分捕獲体２０の交換を自動若しくは簡単な操作により実施できる。
【００４３】
ここで、飛散塩分捕獲ユニット２１は、上下の飛散塩分捕獲体２０の間に設けられ、中段部３３の上下において収容体３０の内側を遮蔽する遮蔽板２８を備える。これによって、未使用の飛散塩分捕獲体２０を収容した上段部３１、及び、使用済みの飛散塩分捕獲体２０を収容した下段部３２への飛散塩分の侵入を防止でき、使用期間外の飛散塩分捕獲体２０に塩分が付着することを防止できる。従って、期間毎の飛散塩分量を正確に測定できる。
【００４４】
また、下段部３２の円筒体３２Ａ内では、使用済みの飛散塩分捕獲体２０間に位置する遮蔽板２８を境に上下に仕切られた複数（本実施形態では２個）の空間が形成されており、各空間に飛散塩分捕獲体２０が収容される。これにより、使用済みの飛散塩分捕獲体２０を収容する上下の空間の間での塩分の移動が阻止される。よって、下段部３２内に複数の使用済みの飛散塩分捕獲体２０が収容された状態で、一の飛散塩分捕獲体２０に他の飛散塩分捕獲体で捕獲した塩分が付着することを防止でき、期間毎の飛散塩分量を正確に測定できる。
【００４５】
また、保持装置１００は、飛散塩分捕獲ユニット２１を昇降させる駆動機構（モータ４２及びウォームギヤ４４）と、一個の飛散塩分捕獲体２０が中段部３３に位置する状態が所定時間維持された後に、未使用の飛散塩分捕獲体２０が中段部３３に移動されて前記所定時間維持されるように、前記駆動機構を駆動させるモータ制御回路２０２とを備える。これによって、飛散塩分捕獲体２０の交換を自動で実施できる。
【００４６】
また、昇降保持機構４０は、収容体３０の上方に配されたプーリ４６と、プーリ４６に巻き付けられ、プーリ４６から吊り下げられた一端を飛散塩分捕獲ユニット２１の頂部に取り付けられたワイヤ４８とを備え、上記駆動機構は、回転軸にウォーム４４Ａが設けられたモータ４２と、プーリ４６の回転軸に設けられ、ウォーム４４Ａと噛合うウォームホイール４４Ｂとを備える。ここで、モータ４２とプーリ４６との間で駆動を伝達する機構をウォームギヤとしたことから、ウォーム４４Ａのねじり角を安息角（摩擦角）より小さく設定することで、ウォームホイール４４Ｂの回転によるウォーム４４Ａの逆駆動を防止できる。これにより、ウォームギヤ４４をセルフロック状態にして、飛散塩分捕獲ユニット２１の重量でモータ４２が回転することを防止できる。
【００４７】
また、ガーゼホルダー２４は、筒状体であり、飛散塩分捕獲ユニット２１は、ガーゼホルダー２４が立てられた状態で保持装置１００により保持されている。これによって、全方位から飛来する飛散塩分を風速に応じた量だけガーゼ２２で捕獲できる。
【００４８】
さらに、飛散塩分捕獲装置１０は、収容体３０の中段部３３を含む部分を収容し、飛散塩分捕獲体２０に導風するルーバー２が設けられた百葉箱１を備える。これによって、設置場所の屋根の有無にかかわらず雨の影響を受けることなく、風速に応じた量の塩分を捕獲できる。
【００４９】
図８は、他の実施形態に係る飛散塩分捕獲装置３００を示す立断面図である。この図に示すように、本実施形態に係る飛散塩分捕獲装置３００は、上述の飛散塩分捕獲体２０に替えて飛散塩分捕獲体３２０を備える。飛散塩分捕獲体３２０は、通気性を有し、飛散する塩分を捕獲可能である矩形状のガーゼ３２２と、ガーゼ３２２を保持する矩形状の枠体であるガーゼホルダー３２４とを備えている。この飛散塩分捕獲体３２０では、ガーゼ３２２の周縁部がガーゼホルダー３２４に取り付けられることで、ガーゼ３２２がガーゼホルダー３２４の内側に張られている。また、上下一組のガーゼ３２２には、非導電性のインクにより方位が記されている。ここで、上側のガーゼ３２２の一方の面と他方の面とにはそれぞれ、Ｅ、Ｗと記され、下側のガーゼ３２２の一方の面と他方の面とにはそれぞれ、Ｓ、Ｎと記されている。
【００５０】
ここで、複数の飛散塩分捕獲体３２０は、交互に９０°異なる方向を向くように高さ方向に重ねて配されている。即ち、上下の飛散塩分捕獲体３２０が、平面視で互いに直交するように配されている。そして、１組（２個）の飛散塩分捕獲体３２０が、中段部３３において曝露され、その上下の複数組の飛散塩分捕獲体３２０が、上段部３１内又は下段部３２内に収容されるようになっている。
【００５１】
以上のような構成の飛散塩分捕獲装置３００では、飛散塩分捕獲ユニット３２１の一組の飛散塩分捕獲体３２０を中段部３３で曝露させて飛散塩分を捕獲した後、飛散塩分捕獲ユニット３２１を昇降保持機構４０により下降させて、飛散塩分を捕獲した一組の飛散塩分捕獲体３２０を下段部３２内に収容すると共に、未使用の一組の飛散塩分捕獲体３２０を中段部３３に配置して曝露させることができる。よって、四方から飛来する飛散塩分を風速に応じた量だけ捕獲できると共に、飛散塩分捕獲体３２０の交換を自動若しくは簡単な操作により実施できる。
【００５２】
ここで、飛散塩分捕獲ユニット３２１は、上下の飛散塩分捕獲体３２０の間に設けられ、中段部３３の上下において収容体３０の内側を遮蔽する遮蔽板２８を備える。これによって、未使用の飛散塩分捕獲体３２０を収容した上段部３１、及び、使用済みの飛散塩分捕獲体３２０を収容した下段部３２への飛散塩分の侵入を防止でき、使用期間外の飛散塩分捕獲体３２０に塩分が付着することを防止できる。従って、期間毎の飛散塩分量を正確に測定できる。
【００５３】
以上、本発明を実施するための形態について説明したが、上記実施形態は本発明の理解を容易にするためのものであり、本発明を限定して解釈するためのものではない。本発明はその趣旨を逸脱することなく変更、改良され得るとともに、本発明にはその等価物も含まれる。例えば、上記実施形態では、飛散塩分捕獲体２０、３２０を下降させることにより交換したが、上昇させることにより交換してもよい。また、飛散塩分捕獲ユニット２１、３２１を自動で下降されたが、飛散塩分捕獲ユニット２１、３２１は手動で下降させてもよい。また、昇降保持機構４０や駆動機構を、ウォームギヤ４４やプーリ４６やワイヤ４８等で構成したが、ボールネジを用いた機構等の他の機構にしてもよい。さらに、収容体３０を円筒状にすることは必須ではなく、角筒状にしてもよく、収容体３０を軸線が直線状の筒体とすることも必須ではなく、軸線が湾曲した筒体とする等してもよい。
【符号の説明】
【００５４】
１  百葉箱、１Ａ  上板、２  ルーバー、３  台座、３Ａ  脚部、３Ｂ  水平材、３Ｃ  水平材、１０  飛散塩分捕獲装置、２０  飛散塩分捕獲体、２１  飛散塩分捕獲ユニット、２２  ガーゼ、２３  軸部、２４  ガーゼホルダー、２４Ａ  円筒体、２４Ｂ  蓋部、２４Ｃ  蓋部、２５  軸部、２６  受け皿、２７  軸部、２８  遮蔽板、２９  シール材、３０  収容体、３１  上段部、３１Ａ  円筒体、３１Ｂ  フランジ、３１Ｃ  フランジ、３１Ｄ  フランジ、３２  下段部、３２Ａ  円筒体、３２Ｂ  フランジ、３２Ｃ  蓋、３３  中段部、３４  軸材、４０  昇降保持機構、４２  モータ、４２Ａ  回転軸、４４  ウォームギヤ、４４Ａ  ウォーム、４４Ｂ  ウォームホイール、４４Ｃ  回転軸、４６  プーリ、４８  ワイヤ、５２  モータ取付板、５２Ａ  孔、５４  カバー、５６  フレーム、５６Ａ  側板、１００  保持装置、２００  制御装置、２０１  筐体、２０２  モータ制御回路、２０４  タイマ、２０６  Ｉ／Ｆ、２０８  電源、２０９  電源、２１０  ケーブル、３００  飛散塩分捕獲装置、３２０  飛散塩分捕獲体、３２１  飛散塩分捕獲ユニット、３２２  ガーゼ、３２４  ガーゼホルダー
【要約】
【課題】飛散塩分を捕獲する飛散塩分捕獲体の交換を自動若しくは簡単な操作により実施できるようにすると共に、期間毎の飛散塩分量を正確に測定できるようにする。
【解決手段】飛散塩分捕獲装置１０は、ガーゼ２２が張られたガーゼホルダー２４を有する複数の飛散塩分捕獲体２０が連接された飛散塩分捕獲ユニット２１と、該飛散塩分捕獲ユニット２１を保持する保持装置１００とを備え、該保持装置１００は、一個の飛散塩分捕獲体２０を曝露させる開口部が高さ方向の中間部に設けられ、飛散塩分捕獲ユニット２１を、複数の飛散塩分捕獲体２０が高さ方向に並んだ状態で収容する筒状の収容体３０と、飛散塩分捕獲ユニット２１を昇降可能に保持する昇降保持機構４０とを備え、飛散塩分捕獲ユニット２１は、上下の飛散塩分捕獲体２０の間に設けられ、開口部の上下において収容体３０の内側を遮蔽する遮蔽板２８を備える。【図１】
0005932193.tif 000002
【図２】
0005932193.tif 000003
【図３】
0005932193.tif 000004
【図４】
0005932193.tif 000005
【図５】
0005932193.tif 000006
【図６】
0005932193.tif 000007
【図７】
0005932193.tif 000008
【図８】
0005932193.tif 000009